(57)【特許請求の範囲】
【請求項１】
隔壁により囲まれた内部空間を形成すると共に、当該隔壁が省略された開放部を有する筐体と、
矩形状の媒体の長辺よりも短いテープ幅でなるテープが巻き付けられたリールと、
上記開放部を挟んで上記リールの反対側に設けられ、上記リールから引き出され上記開放部を横切った上記テープを折り返す折り返し部と、
円筒状でなり上記筐体に対し上記内部空間内で回転可能に設けられると共に、上記筐体の外部から短辺方向に沿って供給される上記媒体を、上記折り返し部により折り返された上記テープと重ねて巻き付けるドラムと、
上記開放部において上記内部空間と外部との間を閉塞すると共に、上記折り返し部により折り返された上記テープ及び上記媒体を所定の走行経路に沿って上記ドラムの周側面へ案内する巻付ガイドと、
上記巻付ガイドの一部分でなり、上記内部空間と外部との間を閉塞し又は開放すると共に、開放時には上記リールから引き出された上記テープを上記開放部から退避させる開閉部と
を具えることを特徴とする媒体処理装置。
【請求項２】
上記開閉部は、
上記開放時に上記折り返し部を上記閉塞時よりも上記リールに近接させる
ことを特徴とする請求項１に記載の媒体処理装置。
【請求項３】
上記折り返し部は、
上記巻付ガイドに取り付けられ、上記開閉部の開閉動作により移動される
ことを特徴とする請求項１に記載の媒体処理装置。
【請求項４】
上記巻付ガイドは、
上記走行経路の上記ドラム側部分でなるロアガイドと、上記走行経路を挟んで当該ロアガイドと対向する走行部分及び上記ドラムの周側面と対向する周側部分を有するアッパガイドとを具え、
上記開閉部は、
上記開放時に、上記アッパガイドのうち少なくとも上記走行部分を上記ロアガイドから離隔させる
ことを特徴とする請求項１に記載の媒体処理装置。
【請求項５】
上記開閉部は、
上記開放時に、上記アッパガイドの上記走行部分を上記ロアガイドから離隔させると共に、上記周側部分を上記ドラムの上記周側面から離隔させる
ことを特徴とする請求項４に記載の媒体処理装置。
【請求項６】
上記開閉部は、
上記ドラムの回転軸と略平行な回動軸を回動中心として上記巻付ガイドの一部を回動させることにより、上記内部空間と外部との間を閉塞し又は開放する
ことを特徴とする請求項１に記載の媒体処理装置。
【請求項７】
少なくとも上記開閉部を開放したときに、上記テープの弛みを軽減し又は排除する弛張調整部
をさらに具えることを特徴とする請求項１に記載の媒体処理装置。
【請求項８】
紙葉状の媒体に関する取引を受け付ける受付部と、
上記受付部により受け付けた上記媒体を搬送する搬送部と、
隔壁により囲まれた内部空間を形成すると共に、当該隔壁が省略された開放部を有する筐体と、
上記媒体の長辺よりも短いテープ幅でなるテープが巻き付けられたリールと、
上記開放部を挟んで上記リールの反対側に設けられ、上記リールから引き出され上記開放部を横切った上記テープを折り返す折り返し部と、
円筒状でなり上記筐体に対し上記内部空間内で回転可能に設けられると共に、上記搬送部から短辺方向に沿って供給される上記媒体を、上記折り返し部により折り返された上記テープと重ねて巻き付けるドラムと、
上記開放部において上記内部空間と外部との間を閉塞すると共に、上記折り返し部により折り返された上記テープ及び上記媒体を所定の走行経路に沿って上記ドラムの周側面へ案内する巻付ガイドと、
上記巻付ガイドの一部分でなり、上記内部空間と外部との間を閉塞し又は開放すると共に、開放時には上記リールから引き出された上記テープを上記開放部から退避させる開閉部と
を具えることを特徴とする媒体取引装置。
【発明の詳細な説明】
【技術分野】
【０００１】
本発明は、媒体処理装置及び媒体取引装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する金種カセットとを有するものが提案されている（例えば、特許文献１参照）。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣を鑑別部により金種を再鑑別し、鑑別された金種に応じて各金種カセットへ収納する。
【０００５】
例えば図１１に示すように、従来の一時保留部３０５は、図の左側に設けられた上側リール３２から上側テープ３４を引き出して図の右方向へ進行させた後、これを上側テーププーリ３７により折り返して図の左方向へ進行させると共に、下側リール４１から下側テープ４３を引き出して所定のプーリ等により折り返して図の左方向へ進行させる。
【０００６】
そして一時保留部３０５は、図の右側から搬送されてくる紙幣ＢＬを、短辺方向に沿って整列させるよう上側テープ３４及び下側テープ４３の間に挟持し、可動ガイド３５０内に形成された搬送路５３に沿って搬送し円筒形状のドラム３１に順次巻き付けることにより、一時保留部筐体３０内に多数の紙幣ＢＬを収納する。
【０００７】
上側テープ３４及び下側テープ４３は、薄く柔らかい材料で構成されることにより、紙幣ＢＬを適切に挟持し、またドラム３１に巻き付いたときの外径をできるだけ小さく抑えるようになされている。
【０００８】
また一時保留部３０５は、上側テープ３４及び下側テープ４３を上側リール３２及び下側リール４１にそれぞれ巻き取りながら、ドラム３１を収納時とは反対方向に回転させることにより、収納している紙幣ＢＬを放出するようにもなされている。
【先行技術文献】
【特許文献】
【０００９】
【特許文献１】特開２０１１−２９２１公報（第１図）
【発明の概要】
【発明が解決しようとする課題】
【００１０】
ところで一時保留部３０５では、例えば傷んでいた紙幣ＢＬが内部で切断されてしまい、その破片（以下これを半券ＢＸと呼ぶ）が一時保留部筐体３０内の意図しない箇所に入り込んでしまう場合が考えられる。
【００１１】
また一時保留部３０５では、紙幣ＢＬが多量に巻き付けられることによりドラム３１が大径化して可動ガイド３５０に衝突する等して、ドラム３１を回転させることができず紙幣ＢＬを放出できない場合も想定され得る。
【００１２】
このような場合、一時保留部３０５では、作業者による保守作業として、一時保留部筐体３０内を目視し、また指先や工具等を内部へ到達させ（以下これをアクセスと呼ぶ）、紙幣ＢＬや半券ＢＸを取り出すことになる。
【００１３】
この保守作業では、可動ガイド３５０を外方（すなわち図の上方）へ開くことができれば、作業者が一時保留部３０５内の内部を容易に視認でき、また半券ＢＸを容易に取り出すことができる。
【００１４】
しかしながら一時保留部３０５では、その構造上、上側テープ３４が可動ガイド３５０の上方を走行するため、回動孔５５を回動中心とする可動ガイド３５０を上側テープ３４と当接する位置（図中破線で示す）までしか開くことができない。
【００１５】
すなわち一時保留部３０５は、保守作業を行う作業者に一時保留部筐体３０と可動ガイド３５０との僅かな隙間から内部を覗き込ませ半券ＢＸを視認して取り出させる等、保守作業が困難なものとなっていた。
【００１６】
また一時保留部３０５においては、一時保留部筐体３０の側方部分（すなわち図１１における手前側の部分）を一部開放し得るよう構成し、保守作業の際に開放された部分から、すなわちドラム３１の回転軸に沿った方向から紙幣ＢＬを取り出すことも考えられる。
【００１７】
しかしながら一時保留部３０５では、紙幣ＢＬを引き出すときに上側テープ３４及び下側テープ４３も一緒に引き出されてしまう可能性がある。
【００１８】
このとき一時保留部３０５では、引き出された上側テープ３４及び下側テープ４３を保守作業後に元に戻す必要があり、また保守作業中に上側テープ３４及び下側テープ４３を意図しない箇所に巻き込んでしまう場合や切断してしまう場合もある。
【００１９】
このように一時保留部３０５は、可動ガイド３５０及び上側テープ３４の存在により、保守作業時の作業性が悪いという問題があった。
【００２０】
本発明は以上の点を考慮してなされたもので、保守作業時の作業性を格段に高め得る媒体処理装置及び媒体取引装置を提案しようとするものである。
【課題を解決するための手段】
【００２１】
かかる課題を解決するため本発明の媒体処理装置においては、隔壁により囲まれた内部空間を形成すると共に、当該隔壁が省略された開放部を有する筐体と、矩形状の媒体の長辺よりも短いテープ幅でなるテープが巻き付けられたリールと、開放部を挟んでリールの反対側に設けられ、リールから引き出され開放部を横切ったテープを折り返す折り返し部と、円筒状でなり筐体に対し内部空間内で回転可能に設けられると共に、筐体の外部から短辺方向に沿って供給される媒体を、折り返し部により折り返されたテープと重ねて巻き付けるドラムと、開放部において内部空間と外部との間を閉塞すると共に、折り返し部により折り返されたテープ及び媒体を所定の走行経路に沿ってドラムの周側面へ案内する巻付ガイドと、巻付ガイドの一部分でなり、内部空間と外部との間を閉塞し又は開放すると共に、開放時にはリールから引き出されたテープを開放部から退避させる開閉部とを設けるようにした。
【００２２】
これにより本発明の媒体処理装置は、通常動作時には巻付ガイドの開閉部を閉塞して内部空間を保護する一方、保守作業時には開閉部を開放して内部空間と外部との間を連通させると共にテープを開放部から退避させて、作業者による内部空間の目視やアクセスを容易化することができる。
【００２３】
また本発明の媒体取引装置においては、紙葉状の媒体に関する取引を受け付ける受付部と、受付部により受け付けた媒体を搬送する搬送部と、隔壁により囲まれた内部空間を形成すると共に、当該隔壁が省略された開放部を有する筐体と、媒体の長辺よりも短いテープ幅でなるテープが巻き付けられたリールと、開放部を挟んでリールの反対側に設けられ、リールから引き出され開放部を横切ったテープを折り返す折り返し部と、円筒状でなり筐体に対し内部空間内で回転可能に設けられると共に、搬送部から短辺方向に沿って供給される媒体を、折り返し部により折り返されたテープと重ねて巻き付けるドラムと、開放部において内部空間と外部との間を閉塞すると共に、折り返し部により折り返されたテープ及び媒体を所定の走行経路に沿ってドラムの周側面へ案内する巻付ガイドと、巻付ガイドの一部分でなり、内部空間と外部との間を閉塞し又は開放すると共に、開放時にはリールから引き出されたテープを開放部から退避させる開閉部とを設けるようにした。
【００２４】
これにより本発明の媒体取引装置は、通常動作時には巻付ガイドの開閉部を閉塞して内部空間を保護する一方、保守作業時には開閉部を開放して内部空間と外部との間を連通させると共にテープを開放部から退避させて、作業者による内部空間の目視やアクセスを容易化することができる。
【発明の効果】
【００２５】
本発明によれば、通常動作時には巻付ガイドの開閉部を閉塞して内部空間を保護する一方、保守作業時には開閉部を開放して内部空間と外部との間を連通させると共にテープを開放部から退避させて、作業者による内部空間の目視やアクセスを容易化することができる。かくして本発明は、保守作業時の作業性を格段に高め得る媒体処理装置及び媒体取引装置を実現できる。
【図面の簡単な説明】
【００２６】
【図１】現金自動預払機の外観構成を示す略線的斜視図である。
【図２】現金自動預払機の内部構成を示す略線図である。
【図３】一時保留部の外観構成を示す略線的斜視図である。
【図４】第１の実施の形態による一時保留部の内部構成を示す略線的斜視図である。
【図５】第１の実施の形態による一時保留部の内部構成を示す略線図である。
【図６】第１の実施の形態による可動アッパガイドの開放を示す略線的斜視図である。
【図７】第１の実施の形態による可動アッパガイドの開放を示す略線図である。
【図８】第２の実施の形態による一時保留部の内部構成を示す略線図である。
【図９】第２の実施の形態による可動アッパガイドの開放を示す略線図である。
【図１０】他の実施の形態による一時保留部の内部構成を示す略線図である。
【図１１】従来の一時保留部の内部構成を示す略線図である。
【発明を実施するための形態】
【００２７】
以下、発明を実施するための形態について、図面を用いて詳細に説明する。
【００２８】
［１．第１の実施の形態］
［１−１．現金自動預払機の全体構成］
図１に外観を示すように、現金自動預払機１は、箱状の筐体２を中心に構成されており、顧客との間で現金に関する取引を行うようになされている。
【００２９】
筐体２は、その前面２Ａ側に顧客が対峙した状態で紙幣の投入やタッチパネルによる操作等をしやすい箇所、すなわち前面２Ａの上部から上面に渡る箇所に、接客部３が設けられている。
【００３０】
接客部３は、顧客との間で現金や通帳等を直接やり取りすると共に、取引に関する情報の通知や操作指示の受付を行うようになされており、硬貨入出金口１１、紙幣入出金口１２、通帳挿入口１３、カード挿入口１４及び表示操作部１５が設けられている。
【００３１】
硬貨入出金口１１及び紙幣入出金口１２は、顧客が入金する硬貨及び紙幣がそれぞれ投入されると共に、顧客へ出金する硬貨及び紙幣がそれぞれ排出される部分である。また硬貨入出金口１１及び紙幣入出金口１２は、それぞれに設けられたシャッタを駆動することにより開放又は閉塞するようになされている。因みに紙幣は、例えば長方形の紙で構成されており、市場で流通する過程において折り曲げられて扱われる場合もある。
【００３２】
通帳挿入口１３は、取引で使用される通帳が挿入され、取引が終了すると通帳が排出される部分である。この通帳挿入口１３の奥部には、取引内容等を通帳に記録する通帳処理部（図示せず）が設けられている。
【００３３】
カード挿入口１４は、キャッシュカード等の各種カードが挿入または排出される部分である。カード挿入口１４の奥部には、各種カードに磁気記録された口座番号等の読み取りを行うカード処理部（図示せず）が設けられている。
【００３４】
表示操作部１５は、取引に際して操作画面を表示するＬＣＤ（Liquid Crystal Display）と、取引の種類の選択、暗証番号や取引金額などを入力するタッチパネルとが一体化されている。
【００３５】
図２は、図１の現金自動預払機１を矢印Ａ方向から見た側面図であり、当該現金自動預払機１の内部構成のうち主に紙幣の処理に関する部分を示している。同図に示したように、現金自動預払機１の内部には、上側に接客部３、紙幣の金種や真偽を判定する鑑別部４及び入金紙幣を一時的に保留する一時保留部５等が設けられており、下側に金種別のカセットでなる紙幣貯蔵部６等が設けられている。図中太線で示す搬送路７は、各部の間で紙幣を短辺方向に沿って搬送する。
【００３６】
この現金自動預払機１は、制御部８により全体を統括制御するようになされている。制御部８は、例えば顧客が紙幣を入金する入金取引を行う場合、表示操作部１５を介して所定の操作入力を受け付けた後、紙幣入出金口１２のシャッタを開いて紙幣を投入させる。
【００３７】
続いて制御部８は、投入された紙幣を搬送路７を介して鑑別部４へ搬送して鑑別させ、正常紙幣と鑑別された紙幣を一時保留部５へ搬送して一時的に保留する一方、取引すべきでないと鑑別されたリジェクト紙幣を紙幣入出金口１２へ搬送して顧客に返却する。
【００３８】
その後制御部８は、表示操作部１５を介して顧客に入金金額を確定させ、一時保留部５に保留している紙幣を再び鑑別部４へ搬送して金種を再鑑別させて、鑑別された金種に応じて紙幣貯蔵部６の各カセットへ搬送し収納させるようになされている。
【００３９】
ところで筐体２は、前面２Ａ側やその反対側（すなわち背面側）等の一部の側面が開閉可能な扉により構成されている。すなわち筐体２は、顧客との間で現金に関する取引を行う取引動作時には、図１及び図２に示したように各扉を閉塞することにより、紙幣貯蔵部６等に格納している紙幣を保護する。一方筐体２は、作業者等が保守作業を行う保守作業時には、必要に応じて各扉を開放することにより、内部の各部に対する作業を容易に行わせ得る。
【００４０】
また現金自動預払機１は、この保守作業時に、背面の扉を開放した上で所定のスライド機構を介して一時保留部５を背面方向へ引き出す（図中破線で示す）と共に、その上面を背面方向へ向けるよう傾けることもできるようになされている。
【００４１】
［１−２．一時保留部の構成］
図３に外観を示すように、一時保留部５は、一時保留部筐体３０に各部品が取り付けられた構成となっている。
【００４２】
一時保留部筐体３０は、現金自動預払機１内に設置された際に前面２Ａ（図１）側となる前側及びその反対の後側、当該前面２Ａ側に対峙した顧客から見て左及び右となる左側及び右側、並びに下側といった外周の大部分を隔壁とすることにより、当該隔壁に囲まれた内部空間３０Ａを形成している。その一方で一時保留部筐体３０は、外周のうち上側の隔壁が省略されてなる開放部３０Ｂを介して外部から当該内部空間３０Ａへアクセスできるようになされている。
【００４３】
また一時保留部筐体３０の前側面には、内部空間３０Ａ内への紙幣ＢＬの出入り口となる紙幣入出孔３０Ｃが穿設されている。
【００４４】
因みに一時保留部筐体３０の左側及び右側の隔壁内には、図示しないモータから後述するドラムやローラ等へ駆動力を伝達するためのギヤ等が内蔵されている。また一時保留部筐体３０の左側面には、保守作業の際にドラムやローラ等を手動で回転させるための操作ノブ３０Ｄが設けられている。
【００４５】
［１−２−１．ドラム及びテープ走行系の構成］
図４は、一時保留部５のうち一時保留部筐体３０を省略し、当該一時保留部筐体３０に取り付けられた各部品を表した斜視図である。また図５は、図４の一時保留部５を左側から見た側面図である。因みに図中の一点鎖線Ｋ１は、一時保留部筐体３０の内側面の一部を表している。
【００４６】
図４及び図５に示すように、ドラム３１は、円筒状に構成されており、一時保留部筐体３０の内部空間３０Ａ（図３）内において、左右方向に沿った回転軸３１Ｘを中心に巻取方向Ｒ１又は巻戻方向Ｒ２へ回転し得るように取り付けられている。
【００４７】
また一時保留部５には、互いにほぼ同様に構成されたテープ走行系が左右それぞれに１系統ずつ設けられている。各テープ走行系では、上側テープ及び下側テープの２本のテープを走行させるようになされている。
【００４８】
上側リール３２は、糸巻き状に構成されており、ドラム３１の上側、すなわち開放部３０Ｂ（図３）側における後方寄り且つ左寄りの箇所に、ドラム３１の回転軸３１Ｘと平行な回転軸３２Ｘを中心に回転するように設けられている。この上側リール３２には、テープとしての上側テープ３４が巻き付けられている。
【００４９】
上側リール３３は、上側リール３２と同様に構成されており、当該上側リール３２とほぼ左右対称となる後方寄り且つ右寄りの箇所に、当該上側リール３２と共通の回転軸３２Ｘを中心に回転するように設けられている。この上側リール３３には、テープとしての上側テープ３５が巻き付けられている。
【００５０】
上側テープ３４及び３５は、いずれも薄いフィルム状の樹脂でなり、そのテープ幅が紙幣ＢＬ（図３）の長辺よりも十分に短くなっている。また上側テープ３４及び３５は、長手方向に十分な長さを有している。
【００５１】
上側リール３２及び３３から見てドラム３１よりも前側、すなわち紙幣入出孔３０Ｃ（図３）側には、ドラム３１の回転軸３１Ｘと平行なプーリシャフト３６に挿通された上側テーププーリ３７及び３８がそれぞれ設けられている。
【００５２】
上側テーププーリ３７及び３８は、いずれも円筒状に構成され、その内径がプーリシャフト３６の外径よりも僅かに大きくなされているため、プーリシャフト３６を回転軸として自在に回転することができる。
【００５３】
また上側テーププーリ３７及び３８は、それぞれ左右方向の長さが上側テープ３４及び３５のテープ幅よりも長く、且つ上側リール３２及び３３とそれぞれ対応するよう、プーリシャフト３６上における左右方向の位置が定められている。
【００５４】
上側リール３２及び３３からそれぞれ引き出された上側テープ３４及び３５は、それぞれ開放部３０Ｂ（図３）を横切るように前方向へ掛け渡された後、上側テーププーリ３７及び３８を介して引き回されることによりそれぞれ後方向へ折り返される。
【００５５】
さらに上側テープ３４及び３５は、後述する可動アッパガイド５１に設けられた所定のローラによりそれぞれドラム３１に押し当てられており、その先端部が当該ドラム３１に固定されている。
【００５６】
また上側リール３２及び３３は、図示しないテンションスプリングにより、上側テープ３４及び３５を巻き取る方向である巻取方向Ｓ１へそれぞれ付勢されている。これにより一時保留部５は、上側テープ３４及び３５に対し常に所定の張力を持たせるようになされている。
【００５７】
因みに一時保留部５では、敢えて上側リール３２及び３３をドラム３１よりも後方寄りの位置に設けた上で、当該上側リール３２及び３３と上側テーププーリ３７及び３８との間で上側テープ３４及び３５を前方へ走行させ、当該上側テーププーリ３７及び３８によって当該上側テープ３４及び３５を後方へ折り返している。
【００５８】
これにより一時保留部５は、上側リール３２及び３３と現金自動預払機１内における他の機構等との干渉を回避でき、また後述するようにドラム３１の近傍において上側テープ３４及び３５を前方から後方へ向けて走行させることができる。
【００５９】
下側リール４１は、上側リール３２と同様の糸巻き状に構成されており、当該上側リール３２の下方、すなわちドラム３１の下側における後方寄り且つ左寄りの箇所に、ドラム３１の回転軸３１Ｘと平行な回転軸４１Ｘを中心に回転し得るように設けられている。
【００６０】
この下側リール４１には、上側テープ３４と同様に構成された下側テープ４３が巻き付けられている。因みに下側リール４１における下側テープ４３の巻付方向は、上側リール３２における上側テープ３４の巻付方向とは反対となっている。
【００６１】
下側リール４２は、下側リール４１と同様に構成されており、当該下側リール４１とほぼ左右対称となる後方寄り且つ右寄りの箇所に、当該下側リール４１と共通の回転軸４１Ｘを中心に回転するように設けられている。この下側リール４２には、下側テープ４３と同様の下側テープ４４が巻き付けられている。
【００６２】
下側リール４１及び４２の前方には、ドラム３１の回転軸３１Ｘと平行な回転軸４５Ｘを中心に回転する下側テーププーリ４５及び４６がそれぞれ設けられている。
【００６３】
下側テーププーリ４５及び４６は、上側テーププーリ３７及び３８と同様、いずれも円筒状に構成されており、左右方向の長さが下側テープ４３及び４４のテープ幅よりも長く、且つ左右方向に関し下側リール４１及び４２とそれぞれ対応する位置に設けられている。
【００６４】
下側リール４１及び４２から引き出された下側テープ４３及び４４は、それぞれ前方向へ渡された後、下側テーププーリ４５及び４６を介して引き回されることにより、それぞれ上方向へ向かう。さらに下側テープ４３及び４４は、後述する可動ロアガイド５２に設けられた所定のローラを介して後方向へ向かうと共にドラム３１に押し当てられており、その先端部が当該ドラム３１に固定されている。
【００６５】
因みに一時保留部５は、下側リール４１及び４２についても、上側リール３２及び３３の場合と同様にドラム３１よりも後方寄りの位置に設けたことにより、現金自動預払機１内の他の機構等との干渉を回避するようになされている。
【００６６】
ここで下側テープ４３は、その先端がドラム３１の周側面における左寄りの箇所に固定されている。また上側テープ３４は、その先端がドラム３１の外周面において当該下側テープ４３の外周側に重なるように固定されている。
【００６７】
また下側テープ４４は、その先端がドラム３１の周側面における右寄りの箇所、すなわち下側テープ４３とほぼ左右対称となる箇所に固定されている。また上側テープ３５は、その先端がドラム３１の外周面において当該下側テープ４４の外周側に重なるように固定されている。
【００６８】
かかる構成により一時保留部５は、ドラム３１を巻取方向Ｒ１へ回転させると、その周側面に下側テープ４３及び上側テープ３４を重ねると共に下側テープ４４及び上側テープ３５を重ねるようにして巻き付けていく。
【００６９】
このとき一時保留部５は、下側テープ４３及び４４と上側テープ３４及び３５との間に紙幣ＢＬを挟んでいれば、当該下側テープ４３及び４４並びに上側テープ３４及び３５と共に当該紙幣ＢＬをドラム３１の周側面に巻き付けることができる。
【００７０】
［１−２−２．可動ガイドの構成］
可動ガイド５０は、上側の可動アッパガイド５１及び下側の可動ロアガイド５２により構成されている。
【００７１】
可動アッパガイド５１及び可動ロアガイド５２の間には、紙幣ＢＬの厚さよりも充分に広い隙間が設けられており、この隙間から当該可動アッパガイド５１の下面に沿って紙幣ＢＬを搬送するための搬送路５３が形成されている。
【００７２】
可動ロアガイド５２は、左右側面から見て滴状又は楔状に形成されたロアガイドベース５４を中心に構成されている。
【００７３】
ロアガイドベース５４の前側下方には、左右方向に貫通する回動孔５５が穿設されている。一方、一時保留部筐体３０（図３）における左右の内側面には、前側の上方に回動孔５５と対応する左右方向に沿った回動軸（図示せず）が設けられている。
【００７４】
可動ロアガイド５２は、一時保留部筐体３０の回動軸を回動孔５５に挿通させるよう取り付けられると、この回動軸及び回動孔５５を中心として、一時保留部筐体３０に対し内方向Ｔ１又は外方向Ｔ２（図５）へ回動することができる。
【００７５】
またロアガイドベース５４の前側から上側に渡る湾曲した斜面には、当該斜面から前側ないし上側を露出させるように搬送ローラ５６及び５７が設けられている。搬送ローラ５６及び５７は、それぞれ円筒状に構成されると共に左右方向に沿った回転軸（図示せず）に貫通されており、図示しない駆動機構を介して駆動力が当該回転軸に伝達されることにより、当該回転軸と共に双方向へ回転し得るようになされている。
【００７６】
ロアガイドベース５４における後側の上方には、円筒状の下側テープローラ５８が左右方向に沿った回転軸（図示せず）を中心に回転し得るよう設けられている。この下側テープローラ５８は、上方向へ向かう下側テープ４３及び４４をそれぞれ後方向へ折り返し、搬送路５３に沿って、すなわち後述するアッパガイドベース６２の下面に沿って、それぞれ進行させる。
【００７７】
このため可動ガイド５０は、前側から紙幣ＢＬが搬送路５３へ挿入された場合、回転する搬送ローラ５６及び５７により当該紙幣ＢＬを搬送路５３に沿って後方向へ順次送り出し、下側テープローラ５８の後側を後方向へ走行する下側テープ４３及び４４によりさらに後方向へ進行させるようになされている。
【００７８】
可動アッパガイド５１は、ロアガイドベース５４に固定されたフレーム６１と、ドラム３１及びロアガイドベース５４の上側を覆い当該フレーム６１により位置決めされるアッパガイドベース６２とを中心に構成されている。
【００７９】
フレーム６１は、図４と対応する図６に示すように、前側において左右に延びた前辺６１Ａの左右それぞれの端部から、左アーム６１Ｂ及び右アーム６１Ｃがそれぞれ後方へ向けて延設されている。
【００８０】
左アーム６１Ｂ及び右アーム６１Ｃの後側部分は、ドラム３１の外周形状に対応するように、後方へ進むに連れて下方へ垂れ下がるアーチ形状となっている。また左アーム６１Ｂ及び右アーム６１Ｃの前寄りの箇所からは、下方へ向けて連結脚６１Ｄ及び６１Ｅがそれぞれ延設されている。
【００８１】
フレーム６１は、連結脚６１Ｄ及び６１Ｅの下方において、ロアガイドベース５４に固定されている。このためフレーム６１は、可動ロアガイド５２が回動孔５５を中心に回動すると、当該可動ロアガイド５２と一体に回動する。
【００８２】
フレーム６１における左アーム６１Ｂ及び右アーム６１Ｃの前寄りの箇所には、それぞれの内側面に、円柱状のロックポスト６３が内側へ向けて立設されている。
【００８３】
またフレーム６１における左アーム６１Ｂ及び右アーム６１Ｃの後端近傍には、左右方向に貫通する開閉孔６１Ｆ及び６１Ｇが穿設されている。この開閉孔６１Ｆ及び６１Ｇには、左右方向に沿った円柱状の開閉シャフト６４がそれぞれ挿通されている。
【００８４】
アッパガイドベース６２は、フレーム６１によって前方及び左右を囲まれるように設けられており、全体として、一時保留部筐体３０（図３）の上側に形成された開放部３０Ｂにおいてドラム３１を上側から覆うような、湾曲した板状に形成されている。
【００８５】
すなわちアッパガイドベース６２は、おおむねドラム３１の前側部分からロアガイドベース５４の後側部分までの範囲を覆う中央部分において、その下面がほぼ平面状に形成されている。またアッパガイドベース６２は、ドラム３１の後側を覆う後側部分において、当該ドラム３１の外周形状に対応するように、その下面が後方へ進むに連れて下方へ垂れ下がる形状となっている。さらにアッパガイドベース６２は、ロアガイドベース５４の前側部分と対向する前側部分において、当該ロアガイドベース５４の上面形状に合わせるように、その下面が前方へ進むにつれて下方へ垂れ下がる形状となっている。
【００８６】
因みにアッパガイドベース６２には、上側テープ３４及び３５を挿通させるための挿通孔等が適宜設けられている。
【００８７】
アッパガイドベース６２の後端近傍には、左右方向に貫通する開閉孔６２Ａ及び６２Ｂが穿設されている。この開閉孔６２Ａ及び６２Ｂは、フレーム６１の開閉孔６１Ｆ及び６１Ｇにそれぞれ挿通された開閉シャフト６４がそれぞれ挿通されている。
【００８８】
これによりアッパガイドベース６２は、開閉シャフト６４を回動軸として、フレーム６１に対し開方向Ｕ１又は閉方向Ｕ２へ回動し得るようになされている。
【００８９】
一方、アッパガイドベース６２の前側上部には、プーリシャフト３６が取り付けられている。プーリシャフト３６には、上述した上側テーププーリ３７及び３８に加えて、ロックレバー６５が回転自在に挿通されている。
【００９０】
ロックレバー６５は、後側下部に、ロックポスト６３の外径よりも大きい溝幅でなる係合溝６５Ａが設けられ、また後側における当該係合溝６５Ａよりも下側に、下方へ進むに連れて前後幅が短くなるような傾斜面が形成されている。
【００９１】
またロックレバー６５は、上方に爪部６５Ｂが延設されており、作業者により当該爪部６５Ｂの前側から後方向へ向けた力が加えられると、プーリシャフト３６を中心にアンロック方向Ｖ１方向へ回動する。
【００９２】
さらにロックレバー６５は、図示しないスプリングにより、ロック方向Ｖ２へ回動するよう付勢されている。
【００９３】
このためロックレバー６５は、付勢されロック方向Ｖ２へ回動して係合溝６５Ａをフレーム６１のロックポスト６３に係合させることにより、図４及び図５に示したように、フレーム６１とアッパガイドベース６２とを一体化させる。
【００９４】
このとき可動アッパガイド５１は、アッパガイドベース６２の下面をドラム３１に近接させると共にロアガイドベース５４の上面と対向させた状態（以下これを閉状態と呼ぶ）に維持することができる。
【００９５】
またロックレバー６５は、外力が加えられてアンロック方向Ｖ１へ回動されることにより、係合溝６５Ａとロックポスト６３との係合を解除することができる。
【００９６】
アッパガイドベース６２は、ロックレバー６５の係合溝６５Ａとロックポスト６３との係合が解除された上で前側部分に上方向への外力が加えられると、図６及び図７に示すように、開閉シャフト６４を回動中心として開方向Ｕ１へ回動する。以下、図６及び図７のようにアッパガイドベース６２を開方向Ｕ１へ回動させた状態を開状態と呼ぶ。
【００９７】
因みにアッパガイドベース６２は、開状態から閉方向Ｕ２へ回動されると、その下面をドラム３１及びロアガイドベース５４に近接させていく。このときロックレバー６５は、下側に形成された傾斜面をロックポスト６３に当接させながら当該ロックレバー６５を一度アンロック方向Ｖ１へ回動させた後、付勢力の作用によりロック方向Ｖ２へ回動し、係合溝６３Ａを当該ロックポスト６３に係合させる。この結果アッパガイドベース６２は、再びフレーム６１と一体化し下面をドラム３１及びロアガイドベース５４の上面に近接させた閉状態に戻る。
【００９８】
このように可動アッパガイド５１は、フレーム６１に対し開閉シャフト６４を中心にアッパガイドベース６２を開方向Ｕ１又は閉方向Ｕ２へ回動させ得ると共に、ロックレバー６５の係合溝６５Ａをロックポスト６３に係合させることより閉状態を維持できるようになされている。
【００９９】
ところでアッパガイドベース６２における中央部分には、下側を露出させるように搬送ローラ６６、６７及び６８が設けられている。搬送ローラ６６、６７及び６８は、それぞれ円筒状に構成されると共に左右方向に沿った回転軸（図示せず）に貫通されており、双方向へ回転し得るようになされている。
【０１００】
搬送ローラ６６は、自然状態から圧縮されたスプリング６９によりその回転軸が下方向へ付勢されている。このため搬送ローラ６６は、閉状態において、搬送路５３を搬送されてくる紙幣ＢＬを可動ロアガイド５２の搬送ローラ５７に押し付けることができ、当該搬送ローラ５７の駆動力を当該紙幣ＢＬへ効率良く伝達させることができる。
【０１０１】
搬送ローラ６８は、前後方向に関してドラム３１のほぼ真上となり左右方向に関して上側リール３２及び３３と対応する箇所に設けられており、その下面において上側テープ３４及び３５と当接している。
【０１０２】
このため搬送ローラ６８は、閉状態において、下側テープ４３及び４４の上面に載せられて搬送路５３を前側から搬送されてくる紙幣ＢＬの上側に上側テープ３４及び３５を当接させて走行させることができる。
【０１０３】
すなわち搬送ローラ６８は、上側テープ３４及び３５と下側テープ４３及び４４との間に紙幣ＢＬを挟ませ、さらにこれらを後方へ進行させると共にドラム３１の周側面に押し付ける。
【０１０４】
このように可動ガイド５０は、閉状態において一時保留部筐体３０の紙幣入出孔３０Ｃを介して挿入された紙幣ＢＬを搬送路５３に沿って搬送し、上側テープ３４及び３５並びに下側テープ４３及び４４により当該紙幣ＢＬを上下から挟んだ状態で、ドラム３１の周側面近傍まで到達させるようになされている。
【０１０５】
ところで可動ガイド５０は、上述した可動ロアガイド５２の回動孔５５を回動中心として内方向Ｔ１又は外方向Ｔ２へ回動し得るようになされているが、重力により下方向へ向かう力、すなわち内方向Ｔ１へ向かう力が作用する。
【０１０６】
このため可動ガイド５０は、閉状態において、アッパガイドベース６２の下面及び搬送ローラ６７をドラム３１の周側面に当接させ、押し付けることになる。
【０１０７】
これにより可動ガイド５０は、ドラム３１が巻取方向Ｒ１へ回転する際に、長辺方向に折れ曲がる恐れを有しながらも一部のみが上側テープ３４及び３５並びに下側テープ４３及び４４により挟持された紙幣ＢＬを、長辺方向に（すなわち左右方向に）伸ばしながら当該ドラム３１の周側面に押し付けるようガイドすることができる。
【０１０８】
ここでドラム３１は、多数の紙幣ＢＬが順次巻き付けられていくに連れて、見かけ上の外径が増加していく。これに応じて可動ガイド５０は、アッパガイドベース６２がドラム３１により上方向へ徐々に持ち上げられることになり、回動孔５５を中心に外方向Ｔ２へ回動することになる。
【０１０９】
すなわち可動ガイド５０は、ドラム３１の外径に関わらず、アッパガイドベース６２の下面及び搬送ローラ６７をドラム３１に当接させることができ、紙幣ＢＬの搬送方向及び搬送先を当該ドラム３１の外周面に追従させることができる。
【０１１０】
また可動ガイド５０は、閉状態であれば、ドラム３１の外径に関わらず一時保留部筐体３０（図３）の開放部３０Ｂをドラム３１の上方から覆い、内部空間３０Ａと外部とを遮蔽し続けることができる。
【０１１１】
因みに一時保留部５では、ドラム３１の外径、ドラム３１と一時保留部筐体３０との隙間、上側テープ３４及び３５並びに下側テープ４３及び４４の長さ等がそれぞれ最適化されており、当該ドラム３１に約２００枚の紙幣ＢＬを順次巻き付けることができる。
【０１１２】
［１−３．動作及び効果］
以上の構成において、第１の実施の形態による一時保留部５は、可動アッパガイド５１の後端近傍においてフレーム６１とアッパガイドベース６２とを開閉シャフト６４により回動可能に接続し、前側においてフレーム６１にロックポスト６３を、アッパガイドベース６２にロックレバー６５を設けた。
【０１１３】
可動アッパガイド５１は、ロックレバー６５の係合溝６５Ａをロックポスト６３に係合させることにより、アッパガイドベース６２の下面をドラム３１に近接させロアガイドベース５４の上面と対向させた閉状態（図４及び図５）を保持する。
【０１１４】
この閉状態において一時保留部５は、一時保留部筐体３０の開放部３０Ｂをアッパガイドベース６２によりドラム３１の上側から覆った状態とすることができ、内部空間３０Ａと外部との間を遮蔽することができる。
【０１１５】
すなわち一時保留部５は、内部空間３０Ａ内に存在する紙幣ＢＬや半券ＢＸ等を不用意に外部へ放出することなくその内部に留めることができ、また外部からの異物の侵入を防止することができる。
【０１１６】
またこの閉状態において、可動アッパガイド５１は、搬送ローラ６６及び６８を可動ロアガイド５２の搬送ローラ５７及びドラム３１へそれぞれ押し当てることができる。これにより可動ガイド５０は、搬送路５３に沿って走行する紙幣ＢＬに対し搬送ローラ５７の駆動力を効率良く伝達することができる。
【０１１７】
一方ロックレバー６５は、作業者により爪部６５Ｂに後方向への外力が加えられると、プーリシャフト３６を中心にアンロック方向Ｖ１へ回動し、係合溝６５Ａによるフレーム６１のロックポスト６３に対する係合を解除する。
【０１１８】
さらにアッパガイドベース６２は、このように係合が解除された状態で作業者によりロックレバー６５等を介してその前側部分に上方向への外力が加えられると、開閉シャフト６４を回動中心として開方向Ｕ１へ回動し、その下面をドラム３１及びロアガイドベース５４の上面から遠ざけた開状態とする。
【０１１９】
この開状態において一時保留部５は、一時保留部筐体３０の内部空間３０Ａと外部とを連通させるため、作業者に外部から内部空間３０Ａやドラム３１を容易に目視させ得ると共に、当該作業者に工具や指先を容易に挿入させること、すなわち容易にアクセスさせることができる。
【０１２０】
またこの開状態では、アッパガイドベース６２全体を開方向Ｕ１へ回動させることにより、ロアガイドベース５４の上面を外部に露出させるように搬送路５３を大きく開くことができる。これにより一時保留部５では、搬送中に紙幣ＢＬが詰まる可能性が比較的高い搬送路５３について、従来よりも保守作業を格段に容易化することができる。
【０１２１】
このときアッパガイドベース６２は、取り付けられているプーリシャフト３６も開方向Ｕ１へ一体に回動させるため、当該プーリシャフト３６に挿通された上側テーププーリ３７及び３８を後側上方へ持ち上げることになる。
【０１２２】
これに伴いアッパガイドベース６２は、上側テーププーリ３７及び３８に掛け渡された上側テープ３４及び３５も一緒に後側上方へ移動させるため、当該上側テープ３４及び３５が開放部３０Ｂを前後に横切る度合を低減させることができる。
【０１２３】
すなわち一時保留部５は、アッパガイドベース６２を開方向Ｕ１へ回動させるだけで、開放部３０Ｂを横切るように走行していた上側テープ３４及び３５を後方へ寄せて当該開放部３０Ｂから退避させることができる。これにより一時保留部５は、作業者が開放部３０Ｂを介して内部空間３０Ａやドラム３１等にアクセスする際の作業性を一段と向上させることができる。
【０１２４】
ここで一時保留部５では、アッパガイドベース６２を開方向Ｕ１へ回動させることにより、上側テープ３４及び３５が上側リール３２及び３３から上側テーププーリ３７及び３８により折り返されてドラム３１へ到達するまでの経路長が短くなる。すなわち上側テープ３４及び３５は、開状態において大きく弛む可能性がある。
【０１２５】
この点において上側リール３２及び３３は、上述したようにトーションスプリング（図示せず）により巻取方向Ｓ１への力が加えられている。これにより一時保留部５は、上側リール３２及び３３が巻取方向Ｓ１へ回転して上側テープ３４及び３５を適切に巻き取ることができ、当該上側テープ３４及び３５の弛みを自動的に解消することができる。
【０１２６】
この結果一時保留部５では、作業者による保守作業において、弛んだ上側テープ３４及び３５に指や工具等を不用意に引っかけることによる、当該上側テープ３４及び３５を切断してしまうことや、ドラム３１を意図せず回転させて紙幣ＢＬを新たに詰まらせてしまうことのような、副次的な障害の発生を未然に防止することができる。
【０１２７】
このように一時保留部５は、作業者にロックレバー６５によるロック状態を解除させてアッパガイドベース６２を開方向Ｕ１へ回動させるといった極めて容易な操作を行わせるだけで、開放部３０Ｂを大きく開放すると共に上側テープ３４及び３５を退避させてその弛みを解消することができるので、従来よりも格段に良好な作業環境を構築することができる。
【０１２８】
また一時保留部５は、アッパガイドベース６２が閉方向Ｕ２へ回動されると、ロックレバー６５の下側に形成された斜面をロックポスト６３に摺動させながら当該ロックレバー６５をアンロック方向Ｖ１へ回動させた後、係合溝６５Ａを当該ロックポスト６３に係合させることにより、閉状態を維持する。
【０１２９】
このとき上側リール３２及び３３は、トーションスプリング（図示せず）の作用により、引出方向Ｓ２へ回転して上側テープ３４及び３５を引き出すため、当該上側テープ３４及び３５の張力を適切に調整することができる。
【０１３０】
すなわち一時保留部５は、作業者にアッパガイドベース６２を閉方向Ｕ２へ回動させるだけで、ロックレバー６５の係合溝６５Ａをロックポスト６３に係合させて開状態から閉状態に戻すことができ、このとき上側テープ３４及び３５についても元の走行経路に沿って適切な張力で掛け渡された状態とすることができる。
【０１３１】
以上の構成によれば、一時保留部５は、可動アッパガイド５１の後側に設けた開閉シャフト６４によりアッパガイドベース６２を回動可能とし、ロックレバー６５の係合溝６５Ａをロックポスト６３に係合させることにより閉状態を保持する。また一時保留部５は、ロックレバー６５がアンロック方向Ｖ１へ回動されると係合溝６５Ａによるロックポスト６３に対する係合を解除し、上方向への外力に応じてアッパガイドベース６２を開方向Ｕ１へ回動させて開状態とする。これにより一時保留部５は、開放部３０Ｂを大きく開放すると共に上側テープ３４及び３５を退避させることができるので、従来よりも作業性を格段に高めることができる。
【０１３２】
［２．第２の実施の形態］
次に、第２の実施の形態について説明する。第２の実施の形態による現金自動預払機１０１（図１、図２）は、第１の実施の形態と比較して、一時保留部５に代わる一時保留部１０５を有している点が相違するものの、他の点については同様に構成されている。
【０１３３】
［２−１．一時保留部の構成］
一時保留部１０５は、第１の実施の形態による一時保留部５（図３）と比較して、可動ガイド５０に代わる可動ガイド１５０を有する点が相違するものの、各テープの走行系やドラム３１など、他の点については同様に構成されている。
【０１３４】
可動ガイド１５０は、可動ガイド５０と比較して、可動アッパガイド５１に代わる可動アッパガイド１５１を有する点が異なるものの、可動ロアガイド５２及び搬送路５３については同様に構成されている。
【０１３５】
可動アッパガイド１５１は、図５と対応する図８に示すように、可動アッパガイド５１と比較して、フレーム６１及びアッパガイドベース６２に代えてフレーム１６１、アッパガイドベース１６２及びアッパドラムガイド１６３を有する点が異なるものの、他の点については同様に構成されている。
【０１３６】
フレーム１６１は、フレーム６１（図６）と比較して、左アーム１６１Ｂ及び右アーム１６１Ｃが左アーム６１Ｂ及び右アーム６１Ｃよりも短縮されており、前辺１６１Ａの左右それぞれの端部から、アッパガイドベース１６２とドラム３１とが当接する箇所、すなわち搬送ローラ６８が設けられている箇所の近傍までに止められている。
【０１３７】
そして左アーム１６１Ｂ及び右アーム１６１Ｃの後端近傍、すなわちアッパガイドベース１６２とドラム３１とが当接する箇所の近傍には、左右方向に貫通する開閉孔１６１Ｆ及び１６１Ｇが穿設されている。この開閉孔１６１Ｆ及び１６１Ｇには、第１の実施の形態における開閉孔６１Ｆ及び６１Ｇと同様、左右方向に沿った円柱状の開閉シャフト６４がそれぞれ挿通されている。
【０１３８】
アッパガイドベース１６２は、第１の実施の形態におけるアッパガイドベース６２の中央部分及び前側部分に相当しており、その後端部分、すなわちドラム３１と当接する箇所の近傍に、左右方向に貫通する開閉孔１６２Ａ及び１６２Ｂが穿設されている。
【０１３９】
この開閉孔１６２Ａ及び１６２Ｂは、フレーム１６１の開閉孔１６１Ｆ及び１６１Ｇと共に開閉シャフト６４がそれぞれ挿通されている。これによりアッパガイドベース１６２は、開閉シャフト６４を回動軸として、フレーム１６１に対し開方向Ｕ１又は閉方向Ｕ２へ回動し得るようになされている。
【０１４０】
アッパドラムガイド１６３は、第１の実施の形態におけるアッパガイドベース６２の後側部分に相当する。このアッパドラムガイド１６３は、フレーム１６１の左アーム１６１Ｂ及び右アーム１６１Ｃの後端に取り付けられており、当該フレーム１６１に対し固定されている。
【０１４１】
すなわち第２の実施の形態による可動アッパガイド１５１では、図７と対応する図９に示すように、アッパドラムガイド１６３を残して、ドラム３１と当接する箇所よりも前側のアッパガイドベース１６２のみが開方向Ｕ１へ回動するようになされている。
【０１４２】
因みにアッパガイドベース１６２には、アッパガイドベース６２と同様、下面に搬送ローラ６６〜６８が設けられており、また前側上方にはプーリシャフト３６、上側テーププーリ３７及び３８並びにロックレバー６５も設けられている。
【０１４３】
［２−２．動作及び効果］
以上の構成において、第２の実施の形態による一時保留部１０５は、可動アッパガイド１５１のドラム３１と当接する箇所の近傍においてフレーム１６１とアッパガイドベース１６２とを開閉シャフト６４により回動可能に接続した。
【０１４４】
可動アッパガイド１５１は、第１の実施の形態と同様、ロックレバー６５の係合溝６５Ａをロックポスト６３に係合させることにより、アッパガイドベース１６２の下面をドラム３１に近接させロアガイドベース５４の上面と対向させた閉状態を保持する（図８）。
【０１４５】
この閉状態において一時保留部１０５は、一時保留部筐体３０の開放部３０Ｂをアッパガイドベース１６２及びアッパドラムガイド１６３によりドラム３１の上側から覆った状態とすることができ、内部空間３０Ａと外部との間を遮蔽することができる。
【０１４６】
一方、アッパガイドベース１６２は、作業者によりロックレバー６５がアンロック方向Ｖ１へ回動されると、係合溝６５Ａとロックポスト６３との係合を解除する。さらにアッパガイドベース１６２は、上方向への外力が加えられると、開閉シャフト６４を回動中心として開方向Ｕ１へ回動し、その下面をドラム３１及びロアガイドベース５４の上面から遠ざけた開状態とする（図９）。
【０１４７】
この開状態において一時保留部１０５は、一時保留部筐体３０の内部空間３０Ａと外部とを連通させることができるため、作業者が外部から内部空間３０Ａやドラム３１を容易に目視できると共に、当該作業者に工具や指先を容易に挿入させること、すなわち容易にアクセスさせることができる。
【０１４８】
このときアッパガイドベース１６２は、第１の実施の形態と同様、開放部３０Ｂを横切るように走行していた上側テープ３４及び３５を後方へ寄せて当該開放部３０Ｂから退避させることができる。
【０１４９】
また上側リール３２及び３３は、トーションスプリング（図示せず）により巻取方向Ｓ１へ回転して上側テープ３４及び３５を適切に巻き取ることができ、当該上側テープ３４及び３５の弛みを自動的に解消することができる。
【０１５０】
ところで第１の実施の形態による一時保留部５では、アッパガイドベース６２の形状と、開閉シャフト６４の位置と、上側リール３２及び３３又は一時保留部筐体３０の内側面との関係により、アッパガイドベース６２を開方向Ｕ１へ約４５°まで回動させることが可能であった（図７）。
【０１５１】
これに対し第２の実施の形態による一時保留部１０５では、開閉シャフト６４がドラム３１のほぼ真上に設けられ、またアッパドラムガイド１６３の上方に何ら部品が設けられていないため、例えば図９に破線で示すように、アッパガイドベース１６２を約１２０°のように大きな角度まで回動させることができる。
【０１５２】
このため一時保留部１０５では、開放部３０Ｂのうちロアガイドベース５４の上面及びドラム３１の前側部分の上方に相当する空間を完全に開放することができるので、作業者が上方から内部空間３０Ａを容易に目視でき、また容易にアクセスすることができる。
【０１５３】
またこのとき一時保留部１０５では、アッパガイドベース１６２の下面、すなわち閉状態においてロアガイドベース５４との間に搬送路５３を形成する面を前方ないし上方へ向けることができるため、当該アッパガイドベース１６２に関する作業性も格段に向上させることができる。
【０１５４】
その他の点についても、第２の実施の形態による一時保留部１０５は、第１の実施の形態による一時保留部５と同様の作用効果を奏し得る。
【０１５５】
以上の構成によれば、一時保留部１０５は、可動アッパガイド１５１の中央よりも後側に設けた開閉シャフト６４によりアッパガイドベース１６２を回動可能とし、ロックレバー６５の係合溝６５Ａをロックポスト６３に係合させることにより閉状態を保持する。一方、一時保留部１０５は、ロックレバー６５がアンロック方向Ｖ１へ回動されると係合溝６５Ａによるロックポスト６３に対する係合を解除し、上方向への外力に応じてアッパガイドベース１６２を開方向Ｕ１へ回動させて開状態とする。これにより一時保留部１０５は、開放部３０Ｂを大きく開放すると共に上側テープ３４及び３５を退避させることができるので、従来よりも作業性を格段に高めることができる。
【０１５６】
［３．他の実施の形態］
なお上述した第１の実施の形態においては可動アッパガイド５１の後端近傍に、また第２の実施の形態においてはドラム３１のほぼ真上に、それぞれ開閉シャフト６４を設けてフレーム６１又は１６１に対しアッパガイドベース６２又は１６２を回動可能に接続するようにした場合について述べた。
【０１５７】
本発明はこれに限らず、可動アッパガイドにおける任意の箇所に開閉シャフト６４を設け、当該接続箇所よりも前側部分でなるアッパガイドベースを回動させるようにしても良い。この場合、アッパガイドベースと共にプーリシャフト３６を回動させることにより、上側テーププーリ３７及び３８に掛け渡された上側テープ３４及び３５を少なくとも後方向へ一緒に移動させるようにすれば良い。
【０１５８】
また上述した第１及び第２の実施の形態においては、開閉シャフト６４による１本の回動軸を中心にアッパガイドベースを回動させて開状態とするようにした場合について述べた。
【０１５９】
しかしながら本発明はこれに限らず、回動軸を２箇所以上設け、各回動軸を回動させてアッパガイドベースを開閉させるようにしても良い。
【０１６０】
例えば図９と対応する図１０に示すように、一時保留部２０５は、可動ガイド１５０と対応する可動ガイド２５０を有しており、可動ガイド２５０は、可動アッパガイド１５１と対応する可動アッパガイド２５１を有している。可動アッパガイド２５１は、第１の実施の形態と同様のフレーム６１と、第２の実施の形態と一部類似したアッパガイドベース２６２及びアッパドラムガイド２６３とを有している。
【０１６１】
アッパドラムガイド２６３は、第１の実施の形態におけるアッパガイドベース６２と同様、フレーム６１の左アーム６１Ｂ及び右アーム６１Ｃの後側端部において開閉シャフト２６４により回動可能に接続されている。アッパガイドベース２６２は、その後側端部において、アッパドラムガイド２６３の前側端部に開閉シャフト２６５により回動可能に接続されている。
【０１６２】
すなわち一時保留部２０５は、フレーム６１に対し開閉シャフト２６４を回動軸としてアッパドラムガイド２６３を開方向Ｕ１又は閉方向Ｕ２へ回動させることができ、さらに当該アッパドラムガイド２６３に対し開閉シャフト２６５を回動軸としてアッパガイドベース２６２を開方向Ｗ１又は閉方向Ｗ２へ回動させることができる。
【０１６３】
かかる構成により一時保留部２０５は、図１０に示したように、ドラム３１及びロアガイドベース５４の上側を大きく開放することができ、当該ドラム３１や内部空間３０Ａ、さらにはアッパガイドベース２６２に対する視認性や作業性を格段に向上させることができる。
【０１６４】
さらにこの場合、アッパドラムガイド２６３をゴムや樹脂のような可撓性を有する材料により構成すると共に開閉シャフトを省略し、当該アッパドラムガイド２６３を撓ませることにより閉状態又は開状態に切り換えるようにしても良い。
【０１６５】
さらに上述した第１及び第２の実施の形態においては、アッパガイドベース６２又は１６２の開閉孔６２Ａ及び６２Ｂ又は１６２Ａ及び１６２Ｂとフレーム６１の開閉孔６１Ｆ及び６１Ｇとを開閉シャフト６４によって挿通することにより、回動軸として作用させるようにした場合について述べた。
【０１６６】
しかしながら本発明はこれに限らず、例えばアッパガイドベース６２又は１６２の左右側面に円柱状の回動軸を外方へ突出させるよう形成し、この回動軸をフレーム６１の開閉孔６１Ｆ及び６１Ｇに挿通させることにより、回動軸として作用させるようにしても良い。
【０１６７】
さらに上述した第１及び第２実施の形態においては、開閉シャフト６４による回動作用を利用して、アッパガイドベース６２又は１６２を開状態又は閉状態に切り換えるようにした場合について述べた。
【０１６８】
しかしながら本発明はこれに限らず、スライド機構やリンク機構など、周知の種々の機構又はその組み合わせを介してアッパガイドベースを開状態又は閉状態に切り換えるようにしても良い。この場合も、アッパガイドベースをプーリシャフト３６と一体にスライド等させることにより、上側テーププーリ３７及び３８に掛け渡された上側テープ３４及び３５を少なくとも後方向へ一緒に移動させることにより、上側テープ３４及び３５が開放部３０Ｂを前後に横切る度合を低減できれば良い。
【０１６９】
さらに上述した第１及び第２の実施の形態においては、上側テーププーリ３７及び３８が挿通されたプーリシャフト３６をアッパガイドベース６２又は１６２に固定し、当該アッパガイドベース６２又は１６２の回動に伴って上側テーププーリ３７及び３８を後上方向へ移動させるようにした場合について述べた。
【０１７０】
しかしながら本発明はこれに限らず、例えばプーリシャフト３６をアッパガイドベース６２又は１６２ではなく所定の移動機構に取り付け、アッパガイドベース６２又は１６２の回動に伴って当該移動機構を移動させるようにしても良い。要は、開状態においてプーリシャフト３６と共に上側テーププーリ３７及び３８を少なくとも上側リール３２及び３３がある後方向へ移動させ、上側テープ３４及び３５を開放部３０Ｂから退避させることができれば良い。
【０１７１】
さらに上述した第１及び第２実施の形態においては、ロック機構として、ロックレバー６５の係合溝６５Ａをロックポスト６３に係合させることにより、フレーム６１又は１６１に対しアッパガイドベース６２又は１６２を固定して閉状態を維持し、またそのロックを解除することにより開状態に遷移できるようにした場合について述べた。
【０１７２】
しかしながら本発明はこれに限らず、例えばアッパガイドベース６２又は１６２の左右側面にスプリング等により外方へ付勢されたロックピンを突出させるように設けると共に、フレーム６１又は１６１の左右内側面に孔を穿設しても良い。この場合、ロックピンを孔に係合させることにより閉状態を維持し、所定のリリースレバーを介してロックピンを内方へ引き込むことによりロック状態を解除して開状態とするようにすれば良い。
【０１７３】
また本発明では、このような機構以外にも、周知の種々のロック機構を用いても良く、要はフレームに対しアッパガイドベースをロック（固定）して閉状態とすると共に、このロックを解除することにより開状態とすることができれば良い。
【０１７４】
さらに上述した第１及び第２の実施の形態においては、図示しないトーションスプリングによって上側リール３２及び３３を巻取方向Ｓ１へ付勢することにより、開状態において上側テープ３４及び３５を巻き取って弛みを解消するようにした場合について述べた。
【０１７５】
本発明はこれに限らず、例えば図示しないモータの回転力を上側リール３２及び３３に伝達するように構成し、アッパガイドベースを開方向Ｕ１へ回動させた際に、自動的に又は作業者の操作により、当該モータを回転動作させて上側リール３２及び３３を巻取方向Ｓ１に回転させ、上側テープ３４及び３５の弛みを解消するようにしても良い。
【０１７６】
さらに上述した第１及び第２の実施の形態においては、一時保留部５に上側テープ３４及び３５並びに下側テープ４３及び４４のように、上側テープ及び下側テープの組み合わせでなるテープ走行系を左右に２組設けるようにした場合について述べた。
【０１７７】
しかしながら本発明はこれに限らず、一時保留部５にテープ走行系を１組又は３組以上設けるようにしても良い。
【０１７８】
さらに上述した第１及び第２の実施の形態においては、一時保留部５又は１０５により上側テープ３４及び３５並びに下側テープ４３及び４４の間に紙幣ＢＬを挟持した状態で、当該紙幣ＢＬをドラム３１の外周面に巻き付けるようにした場合について述べた。
【０１７９】
しかしながら本発明はこれに限らず、一時保留部５又は１０５から下側テープ４３及び４４及びこれに関連する機構を省略しても良い。この場合、例えば上側テープ３４及び３５の紙幣ＢＬと当接する面に粘着性を持たせ、この粘着性により紙幣ＢＬを上側テープ３４及び３５に貼り付けて仮止めした状態で、上側テープ３４及び３５を紙幣ＢＬの外周側に重ねるようにしてドラム３１の外周面に巻き付けるようにすれば良い。
【０１８０】
さらに上述した第１及び第２の実施の形態においては、現金自動預払機１において取引中に入金された紙幣を一時的に保留する一時保留部５又は１０５に本発明を適用するようにした場合について述べた。
【０１８１】
しかしながら本発明はこれに限らず、例えば紙幣の鑑別や計数のみを行う装置等、紙幣ＢＬを上側テープ３４及び３５並びに下側テープ４３及び４４の間に挟みドラム３１に巻き付けて一時的に保留する種々の装置に適用するようにしても良い。
【０１８２】
さらに上述した第１及び第２の実施の形態においては、現金を取引する現金自動預払機１又は１０１の一時保留部５又は１０５において、媒体としての紙幣ＢＬを上側テープ３４及び３５並びに下側テープ４３及び４４の間に挟みドラム３１に巻き付けて保留するようにした場合について述べた。
【０１８３】
しかしながら本発明はこれに限らず、例えば商品券や金券、入場券等のような薄い紙状の媒体をドラム３１に巻き付けて保留する種々の装置に適用するようにしても良い。この場合、媒体の大きさや形状に応じて上側テープ３４及び３５並びに下側テープ４３及び４４のテープ幅等を適宜定めれば良い。
【０１８４】
さらに上述した実施の形態においては、筐体としての一時保留部筐体３０と、リールとしての上側リール３２及び３３と、折り返し部としての上側テーププーリ３７及び３８と、ドラムとしてのドラム３１と、巻付ガイドとしての可動アッパガイド５１又は１５１と、開閉部としてのアッパガイドベース６２又は１６２及び開閉シャフト６４とによって媒体処理装置としての一時保留部５又は１０５を構成する場合について述べた。
【０１８５】
しかしながら本発明はこれに限らず、その他種々の構成でなる筐体と、リールと、折り返し部と、ドラムと、巻付ガイドと、開閉部とによって媒体処理装置を構成するようにしても良い。
【０１８６】
さらに上述した実施の形態においては、受付部としての接客部３と、搬送部としての搬送路７と、筐体としての一時保留部筐体３０と、リールとしての上側リール３２及び３３と、折り返し部としての上側テーププーリ３７及び３８と、ドラムとしてのドラム３１と、巻付ガイドとしての可動アッパガイド５１又は１５１と、開閉部としてのアッパガイドベース６２又は１６２及び開閉シャフト６４とによって媒体取引装置としての現金自動預払機１又は１０１を構成する場合について述べた。
【０１８７】
しかしながら本発明はこれに限らず、その他種々の構成でなる受付部と、搬送部と、筐体と、リールと、折り返し部と、ドラムと、巻付ガイドと、開閉部とによって媒体取引装置を構成するようにしても良い。
【産業上の利用可能性】
【０１８８】
本発明は、投入された紙幣等の紙状の媒体をテープと共にドラムに巻き付けて一時的に保留する種々の装置でも利用できる。
【符号の説明】
【０１８９】
１、１０１……現金自動預払機、３……接客部、５、１０５……一時保留部、７……搬送部、１２……紙幣入出金口、３０……一時保留部筐体、３０Ａ……内部空間、３０Ｂ……開放部、３０Ｃ……紙幣入出孔、３１……ドラム、３２、３３……上側リール、３４、３５……上側テープ、３６……プーリシャフト、３７、３８……上側テーププーリ、４１、４２……下側リール、４３、４４……下側テープ、５０、１５０……可動ガイド、５１、１５１……可動アッパガイド、５２……可動ロアガイド、５３……搬送路、５４……ロアガイドベース、５５……回動孔、６１、１６１……フレーム、６１Ｂ、６１Ｃ、１６１Ｂ、１６１Ｃ……アーム、６２、１６２……アッパガイドベース、６３……ロックポスト、６４……開閉シャフト、６５……ロックレバー、６５Ａ……係合溝、１６３……アッパドラムガイド、ＢＬ……紙幣。
【図１】
0005724717.tif 000002
【図２】
0005724717.tif 000003
【図３】
0005724717.tif 000004
【図４】
0005724717.tif 000005
【図５】
0005724717.tif 000006
【図６】
0005724717.tif 000007
【図７】
0005724717.tif 000008
【図８】
0005724717.tif 000009
【図９】
0005724717.tif 000010
【図１０】
0005724717.tif 000011
【図１１】
0005724717.tif 000012